(57)【要約】【課題】ユーザの操作やウォーターハンマー現象などを原因としたホース差込プラグ付近からの水漏れを防止するのに好適な温水洗浄便座用浄水器を提供する。【解決手段】温水洗浄便座用浄水器１は、アダプタ７が水道分岐管金具（図示省略）に取り付けられた状態、入水ホース２の一端２Ａが第１のホース差込プラグ６に差し込まれた状態、および、入水ホース２の他端２Ｂが第２のホース差込プラグ８に差し込まれた状態になっていることで、水道分岐管金具から入水ホース２を介して容器３内に水道水を供給することが可能となり、第１のホース差込プラグ６と入水ホース２の一端２Ａとの差込みによる連結部Ｃ１、および、第２のホース差込プラグ８と入水ホース２の他端２Ｂとの差込みによる連結部Ｃ２のうち、いずれか一方又は双方の連結部は、その連結部の外周に設けたカシメ金具１４によって締付け固定された状態になっている。【選択図】図１
2018123627.tif 000002
【特許請求の範囲】
【請求項１】
水道分岐管金具から入水ホースを介して容器内に水道水を供給し、該容器内に収容してある浄水カートリッジで前記水道水を浄化する温水洗浄便座用浄水器において、
前記容器の開口に着脱自在に装着した蓋と、
前記蓋に設けた第１のホース差込プラグと、
前記水道分岐管金具に取付けられるアダプタを備えた第２のホース差込プラグと、を具備し、
前記アダプタが前記水道分岐管金具に取り付けられた状態、前記入水ホースの一端が前記第１のホース差込プラグに差し込まれた状態、および前記入水ホースの他端が前記第２のホース差込プラグに差し込まれた状態になっていることで、前記水道水の供給が可能となり、
前記第１のホース差込プラグと前記入水ホースの一端との前記差込みによる連結部、および、前記第２のホース差込プラグと前記入水ホースの他端との前記差込みによる連結部のうち、いずれか一方又は双方の連結部がその連結部の外周に設けたカシメ金具によって締付け固定された状態になっていること
を特徴とする温水洗浄便座用浄水器。
【請求項２】
前記第１のホース差込プラグの外周面には凹凸が設けられるとともに、その第１のホース差込プラグと前記入水ホースの一端との前記差込みによる連結部が前記カシメ金具によって締付け固定された状態において、そのカシメ金具の一部が前記凹凸に向って塑性変形したことで、前記入水ホースの一部が前記凹凸の凹部に押圧されて食い込んだ形態になっていること
を特徴とする請求項１に記載の温水洗浄便座用浄水器。
【請求項３】
前記第２のホース差込プラグの外周面には凹凸が設けられるとともに、その第２のホース差込プラグと前記入水ホースの一端との前記差込みによる連結部が前記カシメ金具によって締付け固定された状態において、そのカシメ金具の一部が前記凹凸に向って塑性変形したことで、前記入水ホースの一部が前記凹凸の凹部に押圧されて食い込んだ形態になっていること
を特徴とする請求項１に記載の温水洗浄便座用浄水器。
【請求項４】
前記凹凸はその断面が鋸歯状になっていること
を特徴とする請求項２または３のいずれか１項に記載の温水洗浄便座用浄水器。
【発明の詳細な説明】
【技術分野】
【０００１】
本発明は、水道分岐管金具から入水ホースを介して容器内に水道水を供給し、該容器内に収容してある浄水カートリッジで前記水道水を浄化する形式の温水洗浄便座用浄水器に関し、特に、ユーザの不注意な操作やウォーターハンマー現象などによる蓋側ホース差込プラグ付近やアダプタ側ホース差込プラグ付近からの水漏れを防止するのに好適なものである。
【背景技術】
【０００２】
近年、温水洗浄便座が多用されており、この種の温水洗浄便座において使用される水道水を浄化して肛門などの洗浄水を得る機器として、例えば、特許文献１に記載された温水洗浄便座用浄水器が知られている。
【０００３】
特許文献１の図１を参照すると、同文献１に記載の温水洗浄便座用浄水器（以下「従来の温水洗浄便座用浄水器」という）は、浄水カートリッジ（１００）を収容する容器（１０）と、容器（１０）の開口に着脱自在に装着した蓋（１１）と、蓋（１１）に設けた第１のホース差込プラグ（１１ａ）と、図示しない水道分岐管金具に取付けられるアダプタ（５０ａ、５０ｂまたは５０ｃ）を備えた第２のホース差込プラグ（４０）と、第１のホース差込プラグ（１１ａ）から第２のホース差込プラグ（４０）に対して水道水を供給する手段として機能する入水ホース（３０）と、を具備している。
【０００４】
そして、従来の温水洗浄便座用浄水器では、前述のアダプタ（５０ａ、５０ｂまたは５０ｃ）が水道分岐管金具に取り付けられた状態、入水ホース（３０）の一端が第１のホース差込プラグ（１１ａ）に差し込まれた状態、および、入水ホース（３０）の他端が第２のホース差込プラグ（４０）に差し込まれた状態となることにより、図示しない水道分岐管金具から入水ホース（３０）を介して容器（１０）内に水道水が供給され、その容器（１０）内の浄水カートリッジ（１００）で当該水道水を浄化できる。
【０００５】
しかし、特許文献１の図１を参照すると、従来の温水洗浄便座用浄水器では、入水ホース（３０）の一端と第１のホース差込プラグ（１１ａ）との差込みによる連結部や、入水ホース（３０）の他端と第２のホース差込プラグ（４０）との差込みによる連結部を、ホースおさえスリーブ（符号なし）でネジ止め固定している。このため、例えば、浄水カートリッジ（１００）を交換する際にユーザが前記ホースおさえスリーブを操作したり、ウォーターハンマー現象による振動が生じたりすることで、前記ホースおさえスリーブによるネジ止め固定力が低下し、ホース差込プラグ（１１ａ、４０）付近で水漏れが生じる可能性があるという問題点を有している。
【０００６】
なお、前記カッコ内の符号は特許文献１で使用されている符号である。
【先行技術文献】
【特許文献】
【０００７】
【特許文献１】実用新案登録第３１９９７４０号公報
【発明の概要】
【発明が解決しようとする課題】
【０００８】
本発明は、前記問題点を解決するためになされたものであり、その目的は、ユーザの操作やウォーターハンマー現象などを原因としたホース差込プラグ付近からの水漏れを防止するのに好適な温水洗浄便座用浄水器を提供することである。
【課題を解決するための手段】
【０００９】
前記目的を達成するために、本発明は、水道分岐管金具から入水ホースを介して容器内に水道水を供給し、該容器内に収容してある浄水カートリッジで前記水道水を浄化する温水洗浄便座用浄水器において、前記容器の開口に着脱自在に装着した蓋と、前記蓋に設けた第１のホース差込プラグと、前記水道分岐管金具に取付けられるアダプタを備えた第２のホース差込プラグと、を具備し、前記アダプタが前記水道分岐管金具に取り付けられた状態、前記入水ホースの一端が前記第１のホース差込プラグに差し込まれた状態、および前記入水ホースの他端が前記第２のホース差込プラグに差し込まれた状態になっていることで、前記水道水の供給が可能となり、前記第１のホース差込プラグと前記入水ホースの一端との前記差込みによる連結部、および、前記第２のホース差込プラグと前記入水ホースの他端との前記差込みによる連結部のうち、いずれか一方又は双方の連結部がその連結部の外周に設けたカシメ金具によって締付け固定された状態になっていることを特徴とする。
【００１０】
前記本発明において、前記第１のホース差込プラグの外周面には凹凸が設けられるとともに、その第１のホース差込プラグと前記入水ホースの一端との前記差込みによる連結部が前記カシメ金具によって締付け固定された状態において、そのカシメ金具の一部が前記凹凸に向って塑性変形したことで、前記入水ホースの一部が前記凹凸の凹部に押圧されて食い込んだ形態になっていることを特徴としてもよい。
【００１１】
前記本発明において、前記第２のホース差込プラグの外周面には凹凸が設けられるとともに、その第２のホース差込プラグと前記入水ホースの一端との前記差込みによる連結部が前記カシメ金具によって締付け固定された状態において、そのカシメ金具の一部が前記凹凸に向って塑性変形したことで、前記入水ホースの一部が前記凹凸の凹部に押圧されて食い込んだ形態になっていることを特徴としてもよい。
【００１２】
前記本発明において、前記凹凸はその断面が鋸歯状になっていることを特徴としてもよい。
【発明の効果】
【００１３】
本発明では、温水洗浄便座用浄水器の具体的な構成として、前記の通り、第１のホース差込プラグと入水ホースの一端との差込みによる連結部と、第２のホース差込プラグと入水ホースの他端との差込みによる連結部のうち、いずれか一方又は双方の連結部がその連結部の外周に設けたカシメ金具によって締付け固定された状態となる構成を採用した。このため、ユーザの操作によってカシメ金具によるカシメ力（締付け固定力）を変更することはできず、そのカシメ力は、例えば温水洗浄便座用浄水器の工場出荷前検査において水圧やウォーターハンマー現象に対して十分耐え得るものと考えられている値など、常時所定の適切な値となるように維持されるから、ユーザの操作やウォーターハンマー現象などを原因としたホース差込プラグ付近からの水漏れを防止するのに好適な温水洗浄便座用浄水器を提供し得るという作用効果が得られる。
【図面の簡単な説明】
【００１４】
【図１】本発明を適用した温水洗浄便座用浄水器の断面図。
【図２】図１に示した温水洗浄便座用浄水器の分解断面図および分解斜視図。
【図３】図１に示した温水洗浄便座用浄水器で使用可能な第２のホース差込プラグとアダプタの他の実施形態の断面図および斜視図。
【発明を実施するための最良の形態】
【００１５】
以下、本発明を実施するための最良の形態について、添付した図面を参照しながら詳細に説明する。
【００１６】
図１は、本発明を適用した温水洗浄便座用浄水器の断面図であり、図２は、図１に示した温水洗浄便座用浄水器の分解断面図および分解斜視図である。
【００１７】
図１の温水洗浄便座用浄水器１は、図示しない水道分岐管金具から入水ホース２を介して容器３内に水道水を供給し、該容器３内に収容してある浄水カートリッジ４で前記水道水を浄化する方式の温水洗浄便座用浄水器であり、その具体的な構成部材として、容器３の開口３Ａ（図２参照）に着脱自在に装着した蓋５と、蓋５に設けた第１のホース差込プラグ６と、水道分岐管金具に取付けられるアダプタ７を備えた第２のホース差込プラグ８と、を備えている。
【００１８】
入水ホース２は、水道水の水圧に耐え得るフレキシブルな素材で構成され、所定方向に屈曲することができる。なお、この入水ホース２の長さは必要に応じて適宜変更することができる。
【００１９】
容器３は、コップのように上面が開口した形状であって（図２参照）、その上面の開口３Ａを通じて浄水カートリッジ４の出し入れを可能とする構造、および、上面の開口３Ａに対して前述の蓋５が着脱自在に装着される構造になっている。この容器３は、例えば、抗菌性プラスチック素材によるプラスチック成形品として作製することができる。
【００２０】
容器３の底面には、浄水カートリッジ４で浄化された水道水（浄水）を外部へ排出する手段として、浄水出口３Ｂが設けられており、浄水出口３Ｂには図示しない受け口コネクタを介して出水ホースの一端が取り付けられる。出水ホースの他端は温水洗浄便座のウォシュレット（登録商標）装置側に接続されており、浄水出口３Ｂから排出された浄水は出水ホースを通じてウォシュレット（登録商標）装置側に供給されている。
【００２１】
浄水カートリッジ４は図示しない浄化フィルタを備えている。この種の浄化フィルタとしては、例えば、活性炭や活性炭繊維で構成されたフィルタ、中空糸膜で構成されたフィルタ、または、ビタミン剤や薬剤などの水質改善剤で構成されたフィルタ、若しくはこれらのフィルタ構成を組み合わせたものなど、各種フィルタを採用することができる。浄水カートリッジ４は、浄化フィルタの有効期間や汚れ具合などに応じて、ユーザにより交換される。
【００２２】
蓋５は、その裏面側にシール手段９を備えることで、容器３の開口３Ａ付近からの水漏れを防止し得る構造になっている。かかるシール手段９の具体的な構成として、図１の温水洗浄用浄水器１では、容器３の開口３Ａに嵌め込み可能な段部１０を蓋５の裏面側に設け、その段部１０の外周にＯリング１１を装着することで、容器３の開口３Ａに蓋５を装着した際に、段部１０と容器３の開口３Ａ縁部との間にＯリング１１が変形して配置される構造を採用しているが、これに限定されることはない。
【００２３】
図１の温水洗浄便座用浄水器１は、蓋５を容器３側に固定する手段として、締付けナット５１を備えている。この一方、容器３の開口３Ａ外周部には、締付けナット５１のネジＮ１に対応するネジＮ２が設けられており、蓋５を取り付けた状態において、前記両ネジＮ１、Ｎ２を係合させ、かつ、容器３に対して締付けナット５１を締め付けることで、蓋５は容器３側にしっかり固定される。
【００２４】
第１のホース差込プラグ６は、図２のように蓋５の表面から立ち上がった形態のパイプ状部材で構成されるとともに、そのパイプ状部材の内側が水道水の流路として機能する構成、および、そのパイプ状部材が入水ホース２に差込まれる構成になっている。
【００２５】
また、前記のような第１のホース差込プラグ６における水道水の流路、すなわちパイプ状部材の内側は、蓋５に開設されている図示しない貫通穴に連通し、かつ、その貫通穴を介して容器３の内側に連通している。
【００２６】
第２のホース差込プラグ８は、パイプ状部材で構成されるとともに、そのパイプ状部材の内側が水道水の流路として機能する構成、および、同パイプ状部材の一端側が入水ホース２に差込まれる構成、並びに、同パイプ状部材の他端側に前述のアダプタ７が設けられる構成になっている。
【００２７】
図１の温水洗浄便座用浄水器１においては、第２のホース差込プラグ８の具体的な構成として、図２に示したように、第２のホース差込プラグ８が中央付近を境に上下方向に分離可能な方式を採用しているが、これに限定されることはなく、第２のホース差込プラグ８は分離しない一部品として構成することもできる。
【００２８】
アダプタ７は前述の通り水道分岐管金具に取付けられるが、水道分岐管金具の具体的な構造はメーカーによって異なるため、水道分岐管金具に対するアダプタ７の取付け方式は水道分岐管金具の構造に応じて異なる。
【００２９】
図１に示したアダプタ７は、例えばＡ社で採用している公知のワンタッチ取付け式の水道分岐管金具に対応するものである。すなわち、図１に示したアダプタ７は、第２のホース差込プラグ８の他端部外周にフランジ１２を設け、このフランジ１２より先のパイプ部分が挿入プラグ１３として水道分岐管金具の受け穴に挿入される構造になっている。このような構造からなるアダプタ７の場合、挿入プラグ１３を水道分岐管金具の受け穴に挿入するだけのワンタッチ操作で、水道分岐管金具に対する第２のホース差込プラグ８の取付けとそのロックは、完了する。
【００３０】
図１の温水洗浄便座用浄水器１では、入水ホース２の一端２Ａが第１のホース差込プラグ６に差込まれ、その入水ホース２の他端２Ｂが第２のホース差込プラグ８に差込まれることにより、水道分岐管金具から入水ホース２を介して容器３内に水道水を供給することが可能となる。
【００３１】
そして、前記のように入水ホース２の一端２Ａが第１のホース差込プラグ６に差込まれた状態において、入水ホース２の一端２Ａと第１のホース差込プラグ６との前記差込みによる連結部Ｃ１は、その連結部Ｃ１の外周に設けたカシメ金具１４によって締付け固定された状態になっている。
【００３２】
前記のようなカシメ金具１４による締付け固定の具体的な構成として、図１の温水洗浄便座用浄水器１においては、第１のホース差込プラグ６の外周面（具体的には、前記連結部Ｃ１に対応する部位）に凹凸１５を設けている。この場合、前記のように第１のホース差込プラグ６と入水ホース２の一端２Ａとの差込みによる連結部Ｃ１をカシメ金具１４によって締付け固定すると、その締付け力によりカシメ金具１４の一部が凹凸１５に向って塑性変形することで、入水ホース２の一部が凹凸１５の凹部に押圧されて食い込んだ形態になる。なお、凹凸１５はその断面が鋸歯状になっているが、この形状に限定されることはない。凹凸１５の断面形状は必要に応じて適宜変更することができる。
【００３３】
図１の温水洗浄便座用浄水器１では、カシメ金具１４として、アルミニウム製のパイプ材を採用したが、これに限定されることはない。例えば真鍮製のパイプ材をカシメ金具１４として採用することもできるし、アルミニウムや真鍮以外の金属パイプ材や金属リング材をカシメ金具１４として採用してもよい。
【００３４】
前記のようなカシメ金具１４による締付け固定の具体的な構成において、そのカシメ金具１４としてアルミニウム製のパイプ材を採用した場合には、前述の連結部が２ＭＰａの水圧に耐え得ることが実験で証明されている。この点は、真鍮製のパイプ材をカシメ金具として採用した場合も同様である。
【００３５】
図１の温水洗浄便座用浄水器１では、第２のホース差込プラグ８と入水ホース２の他端２Ｂとの前記差込みによる連結部Ｃ２もまた、その連結部Ｃ２の外周に設けたカシメ金具１４によって締付け固定された状態になっている。このようなカシメ金具１４による締付け固定の具体的な構成は、先に説明した通りであるので、その詳細説明は省略する。
【００３６】
図３は、図１に示した温水洗浄便座用浄水器で使用可能な第２のホース差込プラグとアダプタの他の実施形態の断面図および斜視図である。
【００３７】
図１の温水洗浄便座用浄水器１における第２のホース差込プラグ８は、その先端側（入水ホース２に差込まれる側）からアダプタ７までの範囲（以下「プラグ長さ方向範囲」という）がストレート形状となるように構成してあるが、このような形状に限定されることはない。例えば図３に示したように、そのようなプラグ長さ方向範囲はＬ字状に折れ曲がった形状になっていてもよい。
【００３８】
また、図３に示した第２のホース差込プラグ８のアダプタ７は、例えばＢ社で採用している公知のネジ止め取付け式の水道分岐管金具に対応するものである。すなわち、図３のアダプタ７は、第２のホース差込プラグ８の他端部外周にフランジ１２を設け、フランジ１２より先のパイプ部分が挿入プラグ１３として水道分岐管金具の受け穴（図示省略）に挿入される構造、および、フランジ１２の後方に締付けナットＮＴを配置した構造になっている。そして、挿入プラグ１３を水道分岐管金具の受け穴に挿入し、かつ、前記締付けナットＮＴのネジと水道分岐管金具の外周面に形成されているネジとを係合させた状態において、水道分岐管金具に対して締付けナットＮＴを締め付けることにより、水道分岐管金具に対する第２のホース差込プラグ８の取付けとそのロックは、完了する。
【００３９】
以上説明したように、本発明の実施形態である図１の温水洗浄便座用浄水器１にあっては、その具体的な構成として、第１のホース差込プラグ６と入水ホース２の一端２Ａとの差込みによる連結部Ｃ１や、第２のホース差込プラグ８と入水ホース２の他端２Ｂとの差込みによる連結部Ｃ２が、その連結部Ｃ１、Ｃ２の外周に設けたカシメ金具１４によって締付け固定された状態となる構成を採用した。このため、ユーザの操作によってカシメ金具１４によるカシメ力（締付け固定力）を変更することはできず、そのカシメ力は、例えば温水洗浄便座用浄水器１の工場出荷前検査において水圧やウォーターハンマー現象に対して十分耐え得るものと考えられている値など、常時所定の適切な値となるように維持されるから、ユーザの不注意な操作やウォーターハンマー現象などによるホース差込プラグ６、８付近からの水漏れを防止するのに好適である。
【００４０】
本発明は、以上説明した実施形態に限定されるものではなく、本発明の技術的思想内で当分野において通常の知識を有する者により多くの変形が可能である。
【符号の説明】
【００４１】
１  温水洗浄便座用浄水器
２  入水ホース
２Ａ  入水ホースの一端
２Ｂ  入水ホースの他端
３  容器
３Ａ  開口部
３Ｂ  浄水出口
４  浄水カートリッジ
５  蓋
５１  締付けナット
６  第１のホース差込プラグ
７  アダプタ
８  第２のホース差込プラグ
９  シール手段
１０  段部
１１  Ｏリング
１２  フランジ
１３  挿入プラグ
１４  カシメ金具
１５  凹凸
Ｃ１、Ｃ２  連結部
Ｎ１、Ｎ２  ネジ
ＮＴ  締付けナット
【図１】
2018123627.tif 000003
【図２】
2018123627.tif 000004
【図３】
2018123627.tif 000005